(57)【特許請求の範囲】
【請求項１】
板状のブレードを少なくも１箇所においてその長手方向に沿い折曲げて水滴捕捉部を形成するとともにその上下縁領域を折返してＶ字形断面形のスナップ嵌込みの嵌込部に形成し、細幅平板状のスペーサに所定ピッチ間隔で掛合部を列設して形成し、少なくとも上下一対２組のスペーサ間に前記嵌込部と掛合部との装着により分離自在に前記掛合部間隔で所定枚のブレードを配列し、屈曲した外気通路を隣接するブレード間に形成するともに、
前記Ｖ字形断面形の嵌込部は、Ｖ字の稜部に形成された断面略Ｃ字型形状の溝と、この溝から鋭角を為して連なり折返された弾性を有するグリップ片とからなり、前記掛合部は前記溝に着脱自在に掛け合いする柱体から成ることを特徴とする冷却塔用の水滴除脱体ユニット。
【請求項２】
板状のブレードを少なくも１箇所においてその長手方向に沿い折曲げて水滴捕捉部を形成するとともにその上下縁領域を折返してＶ字形断面形のスナップ嵌込みの嵌込部に形成し、細幅平板状のスペーサに所定ピッチ間隔で掛合部を列設して形成し、少なくとも上下一対２組のスペーサ間に前記嵌込部と掛合部との装着により分離自在に前記掛合部間隔で複数のブレードを配列し、屈曲した外気通路を隣接するブレード間に形成するともに、
前記Ｖ字形断面形の嵌込部は、Ｖ字の稜部に形成された柱体と、この柱体から鋭角を為して連なり折返された弾性を有するグリップ片とからなり、前記掛合部は前記柱体が着脱自在に掛け合いする抱持窪みから成ることを特徴とする冷却塔用の水滴除脱体ユニット。
【請求項３】
板状のブレードを少なくも１箇所においてその長手方向に沿い折曲げて水滴捕捉部を形成するとともにその上下縁領域を折返してＶ字形断面形のスナップ嵌込みの嵌込部に形成し、細幅平板状のスペーサに所定ピッチ間隔で掛合部を列設して形成し、少なくとも上下一対２組のスペーサ間に前記嵌込部と掛合部との装着により分離自在に前記掛合部間隔で多数枚のブレードを配列し、屈曲した外気通路を隣接するブレード間に形成するともに、
前記Ｖ字形断面形の嵌込部は、Ｖ字の稜部に形成された断面ダイヤモンド状の溝と、この溝から鋭角を為して連なり折返された弾性を有するグリップ片とからなり、前記掛合部は前記溝に着脱自在に掛け合いする矢尻状突起体から成ることを特徴とする冷却塔用の水滴除脱体ユニット。
【請求項４】
板状のブレードを少なくも１箇所においてその長手方向に沿い折曲げて水滴捕捉部を形成するとともにその上下縁領域を折返してＶ字形断面形のスナップ嵌込みの嵌込部に形成し、細幅平板状のスペーサに所定ピッチ間隔で掛合部を列設して形成し、少なくとも上下一対２組のスペーサ間に前記嵌込部と掛合部との装着により分離自在に前記掛合部間隔で多数枚のブレードを配列し、屈曲した外気通路を隣接するブレード間に形成するともに、
前記Ｖ字形断面形の嵌込部は、Ｖ字の稜部に形成された断面矢尻状突起柱体と、この断面矢尻状突起柱体から鋭角を為して連なり折返された弾性を有するグリップ片とからなり、前記掛合部は前記断面矢尻状突起柱体が着脱自在に掛け合いするダイヤモンド状の抱持窪みから成ることを特徴とする冷却塔用の水滴除脱体ユニット。
【請求項５】
請求項１、２、３または４に記載された前記水滴除脱体ユニットは、隣接する一方の水滴除脱体ユニットのスペーサと他方の水滴除脱体ユニットのブレードとの掛合により、スペーサの長手方向に連結自在としてあることを特徴とする冷却塔用の水滴除脱体ユニット。
【請求項６】
請求項１、２、３または４に記載された前記水滴除脱体ユニットが、冷却塔の外気取入口を形成する縦形ルーバー用としてあることを特徴とする冷却塔用の水滴除脱体ユニット。
【請求項７】
請求項１、２、３または４に記載された前記水滴除脱体ユニットが、充填材間を通り、循環冷却水を冷却して自身昇温した空気流中の水滴を各ブレートの水滴捕捉部で捕捉するエリミネータとしてあることを特徴とする冷却塔用の水滴除脱体ユニット。
【請求項８】
請求項１、２、３または４に記載された前記水滴除脱体ユニットを数個連ねることで外気取入口用の縦ルーバーが形成されていることを特徴とする冷却塔。
【請求項９】
請求項１、２、３または４に記載された前記水滴除脱体ユニットを数個連ねることでエリミネータを構成し、このエリミネータが充填材の空気流二次側に配置されていることを特徴とする冷却塔。
【発明の詳細な説明】
【０００１】
【産業上の利用分野】
この発明は、冷却塔用の水滴除脱体ユニット及びこの水滴除脱体ユニットを使用した冷却塔に関する。
【０００２】
【従来の技術】
広域区域を冷暖房するために近年、全高さが５ｍ以上に達するタワー式の大型冷却塔が使用されている。
【０００３】
【発明が解決しようとする課題】
この種大型冷却塔においては、その循環冷却水の単位時間当たりの散水量が多く、かつ送風機を低速回転又は停止し、自然通風で冷却する場合には、外気取入口などからの循環冷却水のキャリーオーバーが多量となり、かつ外気取入口などを形成する水滴除脱体が大型化する傾向にある。
この発明は、前記課題を解消し、大型の水滴除脱体を簡易に取付可能とし、かつその交換を容易化し冷却塔用の水滴除脱体ユニット及びこの水滴除脱体ユニットを使用した冷却塔を市場に提供することを目的とする。
【０００４】
【課題を解決するための手段】
前記課題を解決するため、板状のブレードを少なくも１箇所においてその長手方向に沿い折曲げて水滴捕捉部を形成するとともにその上下縁領域を折返してＶ字形断面形のスナップ嵌込みの嵌込部に形成し、細幅平板状のスペーサに所定ピッチ間隔で掛合部を列設して形成し、少なくとも上下一対２組のスペーサ間に前記嵌込部と掛合部との装着により分離自在に前記掛合部間隔で所定枚のブレードを配列し、屈曲した外気通路を隣接するブレード間に形成するともに、
前記Ｖ字形断面形の嵌込部は、Ｖ字の稜部に形成された断面略Ｃ字型形状の溝と、この溝から鋭角を為して連なり折返された弾性を有するグリップ片とからなり、前記掛合部は前記溝に着脱自在に掛け合いする柱体から成ることを特徴とする冷却塔用の水滴除脱体ユニットとしてある。
としてある。
【０００５】
前記課題を解決するため、関連発明は板状のブレードを少なくも１箇所においてその長手方向に沿い折曲げて水滴捕捉部を形成するとともにその上下縁領域を折返してＶ字形断面形のスナップ嵌込みの嵌込部に形成し、細幅平板状のスペーサに所定ピッチ間隔で掛合部を列設して形成し、少なくとも上下一対２組のスペーサ間に前記嵌込部と掛合部との装着により分離自在に前記掛合部間隔で複数のブレードを配列し、屈曲した外気通路を隣接するブレード間に形成するともに、前記Ｖ字形断面形の嵌込部は、Ｖ字の稜部に形成された柱体と、この柱体から鋭角を為して連なり折返された弾性を有するグリップ片とからなり、前記掛合部は前記柱体が着脱自在に掛け合いする抱持窪みから成ることを特徴とする冷却塔用の水滴除脱体ユニットとしてある。
【０００６】
前記課題を解決するため、関連発明は板状のブレードを少なくも１箇所においてその長手方向に沿い折曲げて水滴捕捉部を形成するとともにその上下縁領域を折返してＶ字形断面形のスナップ嵌込みの嵌込部に形成し、細幅平板状のスペーサに所定ピッチ間隔で掛合部を列設して形成し、少なくとも上下一対２組のスペーサ間に前記嵌込部と掛合部との装着により分離自在に前記掛合部間隔で多数枚のブレードを配列し、屈曲した外気通路を隣接するブレード間に形成するともに、
前記Ｖ字形断面形の嵌込部は、Ｖ字の稜部に形成された断面ダイヤモンド状の溝と、この溝から鋭角を為して連なり折返された弾性を有するグリップ片とからなり、前記掛合部は前記溝に着脱自在に掛け合いする矢尻状突起体から成ることを特徴とする冷却塔用の水滴除脱体ユニットとしてある。
としてある。
【０００７】
前記課題を解決するため、板状のブレードを少なくも１箇所においてその長手方向に沿い折曲げて水滴捕捉部を形成するとともにその上下縁領域を折返してＶ字形断面形のスナップ嵌込みの嵌込部に形成し、細幅平板状のスペーサに所定ピッチ間隔で掛合部を列設して形成し、少なくとも上下一対２組のスペーサ間に前記嵌込部と掛合部との装着により分離自在に前記掛合部間隔で多数枚のブレードを配列し、屈曲した外気通路を隣接するブレード間に形成するともに、
前記Ｖ字形断面形の嵌込部は、Ｖ字の尖部に形成された断面矢尻状突起柱体と、この断面矢尻状突起柱体から鋭角を為して連なり折返された弾性を有するグリップ片とからなり、前記掛合部は前記断面矢尻状突起柱体が着脱自在に掛け合いするダイヤモンド状の抱持窪みから成ることを特徴とする冷却塔用の水滴除脱体ユニットとしてある。
【０００８】
前記課題を解決するため、前記冷却塔用の水滴除脱体ユニットは、隣接する一方の水滴除脱体ユニットのスペーサと他方の水滴除脱体ユニットのブレードとの掛合により、スペーサの長手方向に連結自在としてあることを特徴とする。
【０００９】
前記課題を解決するため、前記冷却塔用の水滴除脱体ユニットが、冷却塔の外気取入口を形成する縦形ルーバー用としてあることを特徴とする場合もある。
【００１０】
前記課題を解決するため、前記水滴除脱体ユニットが、充填材間を通り、循環冷却水を冷却して自身昇温した空気流中の水滴を各ブレートの水滴捕捉部で捕捉するエリミネータとしてあることを特徴とすることもある。
【００１１】
前記課題を解決するため、関連発明は前記水滴除脱体ユニットで数個連ねることで外気取入口用の縦形ルーバーが形成されていることを特徴とする冷却塔としてある。
【００１２】
前記課題を解決するため、関連発明は前記水滴除脱体ユニットを数個連ねることでエリミネータを構成し、このエリミネータが充填材の空気流二次側に配置されていることを特徴とする冷却塔としてある。
【００１３】
【作用】
請求項１記載の発明の作用を請求項５、６、記載の発明及び請求項８記載の発明の作用と共に説明する。
大型冷却塔の外気取入口の幅寸法に応じて、前記水滴除部脱体ユニットを複数個塔内に搬入し、ここで隣接する水滴除脱体ユニットの対応するスペーサの位置をこのブレードの長手方向に相互にずらし、一部が重なり合った状態とし、スペーサとブレードを掛合することにより、隣接する水滴除脱体ユニットをスペーサの長手方向に接続すると共に、その高さ方向にＨ型チャンネル材をフレーム枠として、この水滴除脱体ユニットを上下に積み重ねて、縦形ルーバーを構成する。冬期及び中間期のように冷却塔の送風機を低速又は停止し、自然通風により循環冷却水を冷却する。
この際外気取入口寄りに沿い流下する循環冷却水は、外気取入口から外部へ飛散し易くなり、殊に下部水槽の水面に直接落下衝突した循環冷却水は水滴となり外気取入口を通り外部に飛散する傾向をとる。
このように飛散しようとする循環冷却水の水滴は前記縦形ルーバーの各ブレードの水滴捕捉部により捕捉され、外部に飛散しない。
この捕捉された水滴はこのブレード面に沿い流下し、ブレード下縁のＶ字状の折曲げ部に収集され、下部水槽へと流入してゆき、外部に飛散しない。
これらブレードの長期間使用により、修理、交換する場合には、交換しようとするブレードの嵌込部におけるグリップ片を把持し、前記溝を拡径して、スペーサにおける掛合部の柱体から除去し取外して交換する。
【００１４】
請求項２記載の発明において、請求項１記載の発明の作用に加えて、ブレードを交換する時には、グリップ片を把持し、前記柱体を掛合部の抱持窪みから抜き出し、ブレードを交換する。
【００１５】
請求項３記載の発明において、請求項１記載の発明の作用に加えて、ブレードの交換時には、グリップ片を挾持し断面ダイヤモンド状の溝を拡げて、この窪みから矢尻状突起体を外して、ブレードの交換を行う。
【００１６】
請求項４記載の発明においては、請求項１記載の発明の作用に加えて、ブレードの交換時には、グリップ片を把持し、断面矢尻状突起柱体をダイヤモンド状の抱持溝から取り外し、ブレードの交換を行う。
【００１７】
請求項７記載の発明の作用を請求項９記載の発明の作用と共に説明する。
冬期及び中間期における送風機の低速、停止時における自然通風するのに伴う循環冷却水のキャリーオーバーはこのエリミネータで捕捉される。
なお、ブレードの交換は、請求項１、２、３又は４記載の発明におけるブレードの交換と同様に行う。
【００１８】
【実施例】
請求項１、請求項５記載の発明の代表的な実施例を、請求項８の代表的な実施例と合わせて説明する。
図１において、Ａは背の高い（通常５ｍ以上）大型の直交流式冷却塔であり、この冷却塔Ａの外気取入口Ｂは、縦形ルーバーＣにより形成されている。
前記縦形ルーバーＣは、板状のブレード１０を少なくとも１箇所においてその長手方向に沿い折曲げて水滴捕捉部１９を形成するとともにその上下縁領域を折返してＶ字形断面形のスナップ嵌込みの嵌込部１２に形成するとともに、細幅平板状のスペーサ３０に所定ピッチ間隔で掛合部１３を列設して形成し、上下一対２組のスペーサ３０間に前記嵌込部１２と掛合部１３との装着により前記掛合部１３の間隔で多数枚のブレード１０を分離自在に配列し、屈曲した外気通路１５を隣接するブレード１０間に形成してなる冷却塔用の水滴除脱体ユニット２０（図２参照）を外気取入口Ｂの幅方向及び縦方向に複数個配列して構成されている。
前記水滴除脱体ユニット２０を外気取入口Ｂの幅方向に配列する際には、隣接水滴除脱体ユニット２０の対応するスペーサ３０の位置をこのブレード１０の長手方向にずらして、一部が重なり合った状態とし、これらスペーサ３０とブレード１０を掛合することで、スペーサ３０の長手方向に複数個の水滴除脱体ユニット２０が相互連結される（図６参照）。
なお、図２、図６においては、ブレード１０の長手方向の一端部に組付けた一組のスペーサ３０のみを示し、ブレードの長手方向の他端部に組付けられるスペーサは省略してある。
【００１９】
また、この水滴除脱体ユニット２０を外気取入口Ｂの高さ方向に配列する際には、Ｈ形鋼を外気取入口Ｂの高さ方向で間隔をおいて配置し、上下隣接するＨ形鋼間に前記水滴除脱体ユニット２０を嵌め込み、複数個上下にＨ形鋼４５を介して積み重ねる（図１参照）。この際、Ｈ形鋼４５のフランジ部には、ブレード１０の折り曲げ部で捕捉された水を充填材へ戻すための小孔（図示せず）が設けてある。
このようにして冷却塔Ａの外気取入口Ｂは複数個の前記水滴除脱体ユニット２０からなる縦ルーバーＣにより形成される。
この実施例では、これらブレード１０の上下縁の各端部に、前記スペーサ３０が上下一対平行に配列してあるが、これに限らず、これらブレード１０の奥行寸法に応じてその中間位置に設ける場合もある。
前記Ｖ字形断面形の嵌込部１２は、Ｖ字の稜部に形成された断面略Ｃ字型形状の溝１６と、この溝１６から鋭角を為して連なり折返された弾性を有するグリップ片１７とからなり、前記掛合部１３は前記溝１６に着脱自在に掛け合いする柱体１８から成る（図２参照）。
前記ブレード１０の高さを１３８ｍｍとし、ピッチ３７．５ｍｍで柱体１８を形成した際のスペーサ１３における扁平な平板の厚さは３ｍｍでその奥行寸法は１０ｍｍとしてある。この数値は一例であり、この数値に発明として限定されるものではない。
【００２０】
実施例２
この実施例は請求項２記載の発明の代表的な実施例である。
実施例１と異なる構成は次の通りである。
前記Ｖ字形断面形の嵌込部１２は、Ｖ字の稜部に形成された柱体１６ａと、この柱体１６ａから鋭角を為して連なり折返された弾性を有するグリップ片１７とからなり、前記掛合部１３は前記柱体１６ａが着脱自在に掛け合いする抱持窪み１８ａから成る（図３参照）。
その他、実施例１と同一の符号は同一の構成を示す。
【００２１】
実施例３
この実施例は請求項３記載の発明の代表的な実施例である。
実施例１と異なる構成は次の通りです。
前記Ｖ字形断面形の嵌込部１２は、Ｖ字の稜部に形成されたダイヤモンド状の溝１６ｂと、この溝１６ｂから鋭角を為して連なり折返された弾性を有するグリップ片１７とからなり、前記掛合部１３は前記溝１６ｂに着脱自在に掛け合いする矢尻状突起体１８ｂから成る（図４参照）。
その他、実施例１の同一の符号は同一の構成を示す。
【００２２】
実施例４
この実施例は請求項４記載の発明の代表的な実施例である。
実施例１と異なる構成は次の通りである。
前記Ｖ字形断面形の嵌込部１２は、Ｖ字の稜部に形成された断面矢尻状突起柱体１６ｃと、この断面矢尻状突起柱体１６ｃから鋭角を為して連なり折返された弾性を有するグリップ片１７とからなり、前記掛合部１３は前記断面矢尻状突起柱体１６ｃが着脱自在に掛け合いするダイヤモンド状の抱持窪み１８ｃから成る（図５参照）。
その他、実施例１と同一の符号は同一の構成を示す。
【００２３】
実施例５
この実施例は請求項７の代表的な実施例であり、請求項９の代表的な実施例と併せて説明する。
請求項１、２、３または４に記載された前記水滴除脱体ユニット２０が、冷却塔Ａ内の充填材２１間を通り、循環冷却水を冷却して自身昇温した空気流中の水滴を各ブレート１０の水滴捕捉部１９で捕捉するエリミネータ４０としてある。このエリミネータ４０は、充填材の空気流二次側に配置されている（図１参照）。
この際、枠体を介して積み重ねられた水滴除脱体ユニット２０の各ブレード１０で捕捉された水滴は、ブレード１０下縁のＶ字状の折り曲げ部に収集された後、この枠体に形成した間隙から冷却塔の充填材側へ流下される。
そのほか、実施例１と同一の符号は同一の構成を示す。
前記各実施例の作用は、対応する請求項に記載の発明の作用と同じである。
【００２４】
【発明の効果】
冬期及び中間期のように冷却塔の送風機を低速又は停止し、自然通風により循環冷却水を冷却する際に、外気取入口寄りに沿い流下する循環冷却水は、外気取入口から外部へ飛散し易くなり、殊に下部水槽の水面に直接落下衝突した循環冷却水は水滴となり外気取入口を通り外部に飛散し、冷却塔周囲を水浸しとする傾向をとるが、請求項１、５、６及び８記載の発明においてはこのように飛散しようとする循環冷却水の水滴を前記ブレードの水滴捕捉部により捕捉でき、外部に飛散するのを未然に防止できる。更に、ブレード下縁のＶ字状の折り曲げ部にこの捕捉された水滴を収集して、下部水槽へ流下することができる。
この水滴除脱体ユニットの組立ては、冷却塔内にこれらユニットを持込み、容易に組立て、分解でき、隣接する水滴除脱体ユニット同士をスペーサを介して簡易に接続できる。
これに加えて、請求項１記載の発明においては、これらブレードの長期間使用により、修理、交換する場合には、交換しようとするブレードの嵌込部におけるグリップ片を把持し、前記溝を拡径して、スペーサにおける掛合部の柱体から取外し簡易に長尺のブレードを交換することができる。
更に前記スペーサは偏平な平板に前記掛合部が形成されているため、スペーサの厚み（高さ）は薄肉であり、実公平６−４８８９号記載の台形状の肉抜穴を有するスペーサに比べて十分の１程度となり、形状も複雑でなく、容易かつ低コストでスペーサを製造でき、かつ外気取入口の風圧を増大させることもない。
更に、冷却塔内への持込み時には、上下一対のスペーサ間でその掛合部の少なくとも１箇所に所定枚のブレードを寄せ集めておき、冷却塔内において、順次掛合部に一枚ずつブレードをその嵌号部を介して迅速に取付け、水滴除脱ユニットを組み立てることができる。
【００２５】
請求項２記載の発明において、請求項１記載の発明の効果に加えて、ブレードを交換する時には、グリップ片を把持し、前記柱体を掛合部の抱持窪みから抜き出し、ブレードを交換することができる。
【００２６】
請求項３記載の発明において、請求項１記載の発明の作用に加えて、ブレードの交換時には、グリップ片を挾持しダイヤモンド状の溝を拡げて、この溝から矢尻状突起体を外して、ブレードの交換を行うことができる。
【００２７】
請求項４記載の発明においては、請求項１記載の発明の効果に加えて、ブレードの交換時には、グリップ片を把持し、断面矢尻状突起柱体をダイヤモンド状の抱持窪みから取り外し、ブレードの交換を行うことができる。
請求項８記載の発明においては、前記効果に加えて、多数のブレードが水滴除脱体ユニットの上下スペーサを接続する支柱の役目をなし、この水滴除脱体ユニットの剛性を高めることができる。
【００２８】
請求項７、請求項９記載の発明においては、冬期及び中間期における送風機の低速、停止時における自然通風に伴う循環冷却水の排気口からのキャリーオーバーをこのエリミネータで捕捉することができる。
なお、ブレードの交換は、請求項１、２、３又は４記載の発明におけるブレードの交換と同様に行うことができる。
各実施例は対応する請求項記載の発明の効果を発揮する。
【図面の簡単な説明】
【図１】実施例１の縦型ルーバーを有する直交流式冷却塔における外気取入口部分を示す概略正面図である。
【図２】図１における水滴除脱体ユニットの一部省略斜視図である。
【図３】実施例２の水滴除脱体を示す一部省略側面図である。
【図４】実施例３の水滴除脱体を示す一部省略側面図である。
【図５】実施例４の水滴除脱体を示す一部省略側面図である。
【図６】図２のものを幅方向に連結した状態を示す一部省略斜視図である。
【符号の説明】
１０    ブレード
１２    嵌込部
１３    掛合部
２０    水滴除脱体
【図１】
0003613479.tif 000002
【図２】
0003613479.tif 000003
【図３】
0003613479.tif 000004
【図４】
0003613479.tif 000005
【図５】
0003613479.tif 000006
【図６】
0003613479.tif 000007